(57)【特許請求の範囲】
【請求項１】
膜材の側縁部を掴む掴み部と、前記掴み部を引き込む引き込み部と、前記掴み部を前記引き込み部に引き込むための引込機構で構成されるものであって、
前記掴み部は、テント地の膜材の側縁部を掴むために、略円形または多角形の上部筒及び下部筒が上下に重なり、前記上部筒は、斜め上方部が切欠かれて断面形状がＣ形となっている、また前記下部筒は、前記上部筒が縦軸で反転した断面形状である、前記上部筒及び前記下部筒の内部は、略円形または多角形の空間が長手方向に延在する、前記空間が前記膜材の側縁部を差し込む空間と成っている、また前記下部筒の中心を通る水平線と交わる前記下部筒の左側の部分の近くから下方に繋がったＬ型部及び前記下部筒の右側の部分の近くから下方に繋がった縦軸で内側に向かって反転したＬ型部は、前記上部筒及び前記下部筒と一体で成形されている、向かい合った前記Ｌ型部の内部空間は、ボルト頭を嵌めこむ空間と成っていることを特徴とする、膜材の張力調整機構。
【請求項２】
膜材の側縁部を掴む掴み部と、前記掴み部を引き込む引き込み部と、前記掴み部を前記引き込み部に引き込むための引込機構で構成されるものであって、
前記掴み部は、テント地の膜材の側縁部を掴むために、略円形または多角形の左の筒及び右の筒が左右に配置されて、前記左の筒は、左斜め上方部が切欠かれている、また前記右の筒は、右斜め上方部が切欠かれている、前記の左の筒及び前記右の筒の内部は、略円形または多角形の空間が長手方向に延在する、前記空間が前記膜材の側縁部を差し込む空間と成っている、また左右に配置された、前記左の筒と前記右の筒の中間部には、前記引き込み部に、前記掴み部を押し込む為に必要な穴が縦方向に適宜な間隔で空けられていることを特徴とする、膜材の張力調整機構。
【請求項３】
前記引き込み部は、上部が開口された溝であり、前記溝の内部空間が、前記掴み部が引き込まれる空間である、前記空間の形と大きさは、前記掴み部が略嵌め込めるものであればよく、また前記溝の一方の側面を下方に延長し折れ曲がったＬ型部があり、前記Ｌ型部は前記溝と一体で成形されている、また前記溝の底面と前記Ｌ型部の底面には前記掴み部を前記引き込み部に引き込む為の穴が適宜の間隔で同じ縦位置に開口されていることを特徴とする請求項１に記載の膜材の張力調整機構。
【請求項４】
前記引き込み部は、上部が開口された溝であり、前記溝の内部空間が、前記掴み部が引き込まれる空間である、前記空間の形と大きさは、前記掴み部が略嵌め込めるものであればよく、また前記溝の一方の側面を下方に延長したＩ型部があり、前記Ｉ型部は前記溝と一体で成形されている、また前記溝の底面には前記掴み部を前記引き込み部に押し込む為の穴が適宜の間隔で開口されていることを特徴とする、請求項２に記載の膜材の張力調整機構。
【請求項５】
前記掴み部を、前記引き込み部に、ボルトとナット、ワイヤー又はロープを使用して、前記膜材を引き込むことによって前記膜材に張力を与える引込機構であることを特徴とする請求項１から４のいずれか１つに記載の膜材の張力調整機構。
【発明の詳細な説明】
【技術分野】
【０００１】
この発明は、膜材（テント地）の張り方に関するものである。
【背景技術】
【０００２】
従来、隣接する二枚以上の膜材を連続してつなぎ合わす場合、膜材側縁部に適宜の間隔でハトメ、と言われている穴を設け、適宜間隔を開けた、隣り合う膜材同士のハトメに交互にロープを通して締め付けることによって弛みなく張るという手法であった。
前記の方法でハトメを使って締め付ける方法では、点と点で、膜材を引きつける事となり膜面に均等に張力をかけることができなかった。
また前記ハトメによる連結方法だと、テントハウス等屋根材に使用する場合は、ハトメの穴開口部や連結部からの雨水の侵入を防ぐために、連結部には重張りをするなどの対策が必要だった。
また建物の解体や工事中の防音対策のための仮設仮囲いテントでは、ハトメの開口部や
連結部の隙間から音が漏れる、粉塵が飛散するなどの欠点があった。
【０００３】
また、テントハウス等でラーメン構造の骨材同士が隣接する２つ構造材の大部分の長さ方向の全長にわたって、入り口が狭く奥の広い円形の溝を取付け、柱から梁を通り他方の柱まで一枚の膜材を張る技術が開示されている（例えば、特許文献１参照）
【先行技術文献】
【特許文献】
【０００４】
【特許文献１】特開２０１７−１９０５８９号公報
【発明の概要】
【発明が解決しようとする課題】
【０００５】
しかしながら、上記（特開２０１７−１９０５８９号）の膜材側縁部に周知の（線条体本体）を使用した幕張りでも、当該膜材に必要な張力を必要な大きさで調整して与えることはできない。膜材に必要な張力が必要な大きさで与えられず、膜材に弛みが発生し、この弛みによる汚れ等が劣化の原因となる、また従来のハトメを使って締め付ける方法では、点と点で、膜材を引きつける事となり膜材面に均等に張力をかけることができなかった、ゆえに膜材に均一に張力を与える技術を提供することを課題とする。
【０００６】
また、防音性能や遮水性能を高める膜材（テント地）の開発は進められているが、土木、建築現場等の仮設の仮囲いなどに用いる膜材の連結部は現在もハトメによる連結が大部分を占めている、このハトメの連結部から音が漏れる、粉塵が飛散する等の問題解決を課題とする。
【０００７】
また、テントハウスや、車庫の屋根等に膜材（テント地）を使用する場合は、連結部の雨水処理が重要となってくる、従来のハトメによる連結では、連結部のハトメの上部に、膜材を二重に重ねて張る等の追加の対策が必要であった、屋根に使用する膜材の漏水問題を課題とする。
【課題を解決するための手段】
【０００８】
以上の課題を解決するために請求項１に記載の発明は、
膜材の側縁部を掴む掴み部と、前記掴み部を引き込む引き込み部と、前記掴み部を前記引き込み部に引き込む為ための引込機構で構成される膜材の張力調整機構としたことを特徴とする。
【０００９】
請求項２に記載の発明は、
前記掴み部は、テント地の膜材の側縁部を掴むために、略円形または多角形の上部筒及び下部筒が上下に重なり、前記上部筒は、斜め上方部が切欠かれて断面形状がＣ形となっている、また前記下部筒は、前記上部筒が縦軸で反転した断面形状である、前記上部筒及び前記下部筒の内部は、略円形または多角形の空間が長手方向に延在する、前記空間が前記膜材の側縁部を差し込む空間と成っている、また前記下部筒の中心を通る水平線と交わる前記下部筒の左側の部分の近くから下方に繋がったＬ形部及び前記下部筒の右側の部分の近くから下方に繋がった縦軸で内側に向かって反転したＬ型部は、前記上部筒及び前記下部筒と一体で成形されている、向かい合った前記Ｌ形部の内部空間は、ボルト頭を嵌めこむ空間と成っていること特徴とする。
【００１０】
請求項３に記載の発明は、
前記掴み部は、テント地の膜材の側縁部を掴むために、略円形または多角形の左の筒及び右の筒が左右に配置されて、前記左の筒は、左斜め上方部が切欠かれている、また前記右の筒は、右斜め上方部が切欠かれている、前記の左の筒及び前記右の筒の内部は、略円形または多角形の空間が長手方向に延在する、前記空間が前記膜材の側縁部を差し込む空間と成っている、また左右に配置された、前記左の筒と前記右の筒の中間部には、前記引き込み部に、前記掴む部を押し込む為に必要な穴が縦方向に適宜な間隔で空けられていること特徴とする。
【００１１】
請求項４に記載の発明は、
前記引き込み部は、上部が開口された溝であり、前記溝の内部空間が、前記掴み部が引き込まれる空間である、前記空間の形と大きさは、前記掴み部が略嵌め込めるものであればよく、また前記溝の一方の側面を下方に延長し折れ曲がったＬ型部があり、前記Ｌ型部は前記溝と一体で成形されている、また前記溝の底面と前記Ｌ字形の底面には前記掴み部を前記引き込み部に引き込む為の穴が適宜の間隔で同じ縦位置に開口されていること特徴とする。
【００１２】
請求項５に記載の発明は、
前記引き込み部は、上部が開口された溝であり、前記溝の内部空間が、前記掴み部が引き込まれる空間である、前記空間の形と大きさは、前記掴み部が略嵌め込めるものであればよく、また前記溝の一方の側面を下方に延長したＩ形部があり、前記Ｉ型部は前記溝と一体で成形されている、また前記溝の底面には前記掴み部を前記引き込み部に押し込む為の穴が適宜の間隔で開口されていること特徴とする。
【００１３】
請求項６に記載の発明は、
前記掴み部を、前記引き込み部に、ボルトとナット、ワイヤー又はロープを使用して、前記膜材を引き込むことによって前記膜材に張力を与える引込機構であること特徴とする。
【発明の効果】
【００１４】
本発明によれば、一枚の膜材を張る方法から、隣接する二枚以上の膜材を連結して張る方法で、膜材の二以上の側縁部を掴む、掴み部と、掴み部を嵌め合わせて引き込む、引き込み部が一対となり膜材に張力を与える事ができる引込機構にて、膜材に必要な張力調整が可能となり、膜材を弛みなく平滑に張る事ができる幕張の構造であって、前記一対となる掴み部と引き込み部が嵌め合わされ、ボルトとナット又はワイヤーにて締め付けることで、膜材に必要な張力が、必要なだけ得られる。
ゆえに、テントハウスや工事用仮囲いの膜材の張り方が容易になり、また屋根に膜材を使用する場合は、連結部にハトメ穴の開口部がなく、アルミニウム等で一体押出成形された前記掴み部と引期込み部が雨樋の役目を果たし雨水の漏水を防ぐ。
また、前記掴み部と引き込み部が一対の張力調整機構による膜材の連結部からはハトメのような隙間がなく、膜材連結部からの音漏れや粉塵の飛散といった問題が改善される。
その他、室内の壁面や天井面、広告看板面の取り付け等幅広く使用できる利点がある。
【図面の簡単な説明】
【００１５】
【図１】(a)掴み部の端面図(b)掴み部の斜視図
【図２】(a)引き込み部の端面図(b)引き込み部の斜視
【図３】掴み部にボルトが装着された斜視図
【図４】引き込み部が仮設用鋼管足場などの構造材に取り付けられた断面図
【図５】引き込み部がＬ型鋼、角パイプ、丸パイプ等の一般鋼材に取り付けられ、膜材が装着された掴み部が、引き込み部に嵌めこまれて引き付け用ボルトによって、引き込み部に引き込まれている様子を示す斜視図
【図６】引き込み部が仮設足場用鋼管等に固定され、膜材が装着された掴み部が、引き込み部に嵌めこまれて引き付け用ボルトによって引き込み部に引き込まれている様子を示す斜視図
【図７】一対の掴み部と引き込み部により膜張りが完成した様子を示す斜図
【図８】（a）左右二連の掴み部の端面を示す図と、(b)掴み部を押し込む為のボルト用の開口穴を示す斜視図
【図９】(a)引き込み部の端面図(b)引き込み部の斜視図
【図１０】(a)掴み部に膜材が装着された断面図と(b)引き込み部に押込み用ボルトが装着された断面図
【図１１】引き込み部が一般構造用鋼管に固定され、膜材が装着された掴み部が、引き込み部に嵌めこまれ押込み用ボルトによって引き込み部に押し込まれて、張力調整機構となり装飾用カバーついている様子を示す断面図と斜視図
【図１２】引き込み部が木の構造材に取り付けられ、膜材が装着された掴み部が、引き込み部に嵌めこまれて張力調整機構となり押し込み用ボルトによって引き込み部に押し込まれている様子を示す斜視図
【図１３】室内の天井下地の構造材に取り付けられた、引き込み部と一対の掴み部が、嵌め合わされて張力調整機構となり膜天井が完成されている断面図
【図１４】掴み部の連結部位を示す斜視図
【図１５】一枚以上の連結方法を示す平面図
【発明を実施するための形態】
【００１６】
以下、本発明を実施するための形態について図面を参照して、本発明に係る張力調整機構を使って、膜材に必要な張力を簡単に得る方法について説明する。
【実施例】
【００１７】
図１に示す、１の掴み部は、アルミニウムの押出成形材等の金属、或いは塩化ビニール等のプラスチックによって成形した、上下二連の円形または多角形の筒１２、１３と、膜材を袋状にし、ロープ等の芯材を挿入した側縁部Ｘを差し込む空間Ａ１とＡ２とが長手方向に延在している、また前記筒１２、１３には斜め上方部長手方向全般にわたって、切欠き開口１１が施されている。
また筒１３の下方には、１の掴み部を引き込み部に引き込む為のボルト頭を掴む、Ｌ形部１４と、もう一方に反転し向かい合った形のＬ形部１４があり、これらは一体で成形されている。
【００１８】
図２に示す、２の引き込み部は、上部が開口された溝であり、アルミニウムの押出成形材等の金属によって成形し、図１の掴み部１と一対となっており、掴み部が嵌め込まれる空間Ｃがある、また２の引き込み部上部の角２２によって、引き込む方向に対し直交している膜材に張力を与えることができる。また引き込む方向は概ね膜材表面に対して３０度から１５０度でもよい。また、引き込み部空間Ｃの下部には、仮設用足場等の構造材に取り付ける為の金物を差し込む、Ｌ形部２４の内部の隙間Ｄがある、２の引き込み部の溝２３とＬ形部２４は一体で成形されている。また、前記引き込み部の空間Ｃの底面部と、Ｌ形部の底面部には、同じ縦位置にボルト用の開口穴２５が開けられている。前記の開口穴２５に前記１の掴み部を引き込む為のボルト７を差し込む。
【００１９】
図３の斜視図で示すように、前記１の掴み部の下部の筒１３の中心を通る水平線と交わる下部の筒左側の部分の近くから下方に繋がったＬ形部及び右側の部分の近くから下方に繋がったＬ型部が縦軸で内側に向かって反転したＬ型部が向かい合った内部空間は、ボルト７の頭を嵌めこむ空間Ｂであり、当該の空間Ｂは前記１の掴み部、長手方向全長に延在しており、当該Ｂの空間に引き込み用ボルトを装着している。
【００２０】
図４に示すように、前記引き込み部２の溝２３の一方の側面を下方に延長し直角に折れ曲がったＬ形部２４があり、当該のＬ型部２４は、前記溝２３と一体で成形されており、前記溝２３とＬ形部２４の隙間Ｄに仮設用足場の鋼管に取り付けるための金物を挟み込み引き込み部２を取付けた断面形状を示す。
【００２１】
図５は、２の引き込み部を、Ｌ型鋼、角パイプ、丸パイプ等で構築された一般構造用鋼材等に取り付け固定した後で、１の掴み部の筒１２，１３の空間Ａ１とＡ２の長手方向の全長にわたり膜材側縁部Ｘを差し込んだ、掴み部１を、前記２の引き込み部に嵌め込み張力調整機構３０とする工程と、同じく前記１の掴み部Ｂの空間に引込用ボルト７を装着し、当該ボルトを、２の引き込み部空間Ｃから溝２３の底面とＬ型部２４の底面のボルト用開口穴２５を貫通させ、２の引き込み部の膜材裏面方向から、ナットにて固定したうえで締め付けながら１の掴み部を引き込み、膜材に張力を与え弛みなく張る過程を現した。
【００２２】
図６は、仮設用足場等の鋼管構造材に、２の引き込み部を取り付けて固定した後で、１の掴み部の筒１２，１３の空間Ａ１とＡ２の長長手方向の全長にわたり膜材側縁部Ｘを差し込んだ、１の掴み部を、前記２の引き込み部に嵌めこみ張力調整機構３０とし、前記１の掴み部Ｂの空間に引き込み用ボルト７を装着し、当該ボルトを、引き込み部の空間Ｃから溝２３の底面とＬ型部２４の底面のボルト用開口穴２５を貫通させ、２の引き込み部の膜材裏面方向から、ナットにて固定したうえで締め付けながら１の掴み部を引き込み膜材に張力を与え弛みなく張る過程を現した。
【００２３】
図７は、張力調整機構３０を使い膜張りの全体像を斜視図で示したものである。
【００２４】
図８に示す、４の掴み部は、アルミニュウムの押出成形材等の金属、或いは塩化ビニール等のプラスチックによって成形した、左右二連の円形または多角形の筒４４と、膜材を袋状にし、ロープ等の芯材を挿入した側縁部Ｘを差し込む略円形または多角形の空間Ｅ１とＥ２とが長手方向に延在している。また前記筒４４には斜め上方部長手方向全般にわたって、切欠き開口４３が施されている。また前記４の掴み部の左右の筒４４の中間には、
５の引き込み部空間Ｆに嵌め込み固定し押し込む為の、ボルトを差し込む開口穴４２が適宜の間隔で設けられている。
【００２５】
図９で示すように、５の引き込み部は、上部が開口された溝であり、アルミニュウムの押出成形材等金属によって成形し、図８の掴み部４と一対となっており、掴み部４が嵌め込まれる空間Ｆがある、また５の引き込み部上部の角５２によって、引き込む方向に対し直交している膜材に張力を与えることができる。また引き込む方向は概ね膜材表面に対して３０度から１５０度でもよく、また引き込み部の溝５３の一方の側面から下方に延長し一体で成形されたＩ形の部位５４を、室内の壁面や天井下地構造材に取り付ける。
また前記５の引き込み部の溝５３低面には、前記、掴み部４を引き込み部５に押し込む為に使用するボルトを取り付けるための、ねじ山５５が適宜の間隔できられているが、前記ネジ山は単なるボルト用の開口穴でもよい。
【００２６】
図１０の（a）断面図は、前記４の掴み部の左右の筒４４の内部空間Ｅ１、Ｅ２の長手方向の全長にわたり膜材側縁部Ｘを差し込んだ掴み部を示している。
図１０の（ｂ）断面図は、前記４の引き込み部Ｆの底面に前記４の掴み部を押し込む為使用するボルトが装着されている、また図は５３の溝底面にはボルト用のねじ山が切られてボルトが取り付けられているが、単に開口されたボルト用穴でもよい。
【００２７】
図１１は、前記５の引き込み部を、Ｔの角パイプで構築された一般構造用鋼材等に取り付け固定した後で、４の掴み部の筒４４の空間Ｅ１、Ｅ２の長手方向の全長にわたり膜材側縁部Ｘを差し込んだ掴み部を、前記５の引き込み部に嵌め込み、一対となった張力調整機構６０で、ボルト・ナットにて締付け、前記４の掴み部を前記５引き込み部に押し込み、膜材が緩みなく張られて、装飾用カバー８を取付けた図面である。
【００２８】
図１２は、５の引き込み部を、木材の構造材に取り付け固定した後で、４の掴み部の筒４４の内部空間Ｅ１，Ｅ２の長手方向の全長にわたり膜材側縁部Ｘを差し込んだ掴み部を、前記５の引き込み部に嵌めこみ、一対となった張力調整機構６０で、掴み部４のボルト穴４２に前記５の引き込み部に装着した押し込み用ボルトを通して、ナットにて取り付け、掴み部４を前記５引き込み部に押し込み、膜材が緩みなく張られて、装飾用カバー８を取付けた図面である。
【００２９】
図１３は、軽量鉄骨のＬ型鋼等の天井下地材に、４の掴み部と５の引き込み部を用いた、引込機構で構成される膜材張力調整機６０にて、膜材を張り膜天井として利用した断面図である。
【００３０】
図１４は、１の掴み部の各種接続部品を示した。
【００３１】
図１５は、掴み部と引き込み部を用いた、引込機構で構成される膜材張力調整機構にて一枚の膜材を張ることはもちろん、連続して張る建築工事の仮囲の膜材やガレージ等テントハウスの屋根の膜材、また室内の壁面、天井面の仕上げに張る膜材、屋外看板面の膜材等々多方面に使用可能である。
【００３２】
本実施例では掴み部と引き込み部はアルミニウムの押出成形又は塩化ビニール等のプラスチックから成るものと説明したが、材料はこれらに限るものではなく、ガルバニュム等合金や鉄のプレス加工等、適宜、強度や価格等を考慮し選択することができる。
【００３３】
本実施例では掴み部と引き込み部からなる引込機構で、掴み部を引き込み部に引き込む又は押し込む為にボルトとナット又はワイヤーで構成されるものと説明したが、ネジ等螺旋状の溝をつけた固着具やネジ切りした棒状のものと二つのナットから成るようなものでもよい。
【００３４】
また、その他、具体的な細部構造等についても適宜に変更可能であることはもちろんである。
【符号の説明】
【００３５】
１  掴み部
２  引き込み部
３０  張力調整機構
４  掴み部
５  引き込み部
６０  張力調整機構
７  ボルト
８  装飾用カバー
１１  開口部
１２  筒
１３  筒
１４  Ｌ型部
２２  引き込み部角
２３  樋
２４  Ｌ型部
２５  ボルト穴開口
４２  ボルト穴開口
４３  開口部
４４  筒
５２  引き込み部角
５３  樋
５４  突起部
５５  ネジ山
Ａ１  筒空間
Ａ２  筒空間
Ｂ    空間
Ｃ    空間
Ｄ    隙間
Ｅ１  筒空間
Ｅ２  筒空間
Ｆ  樋空間
Ｇ  十型部品
Ｈ  Ｔ型部品
Ｊ  Ｌ型部品
Ｋ  Ｉ型部品
Ｎ    ネジ
Ｐ    丸鋼管
Ｓ    ネジ
Ｋ    角パイプ
Ｌ    Ｌ型軽量型鋼
Ｍ    丸パイプ
Ｖ    Ｌ形金物
Ｘ    膜側縁部
Ｙ    膜材
Ｚ    金物
【要約】      （修正有）【課題】仮囲いテント（防音テント）・テントハウス・室内の壁面、天井面・屋外看板などに使用する膜材を簡単に弛みなく張る事ができ、膜材の連結箇所からの音漏れや粉塵の飛散等の問題を改善する。【解決手段】膜材の側縁部を線で掴む、掴み部を、引き込み部に引き込む張力調整機構を用いて、膜材Ｙを弛みなく均一に張る事ができ、雨水の侵入や音漏れ、粉塵の飛散といった問題を低価格で解決する方法で、仮設の仮囲い等の膜材は膜材裏面側の足場等から、鋼管足場等に取り付けられた、引き込み部に、掴み部を引き付け用ボルトを用いて引き込むことによって、直交した膜材を弛みなく張る事ができ、また天井面や壁面等の膜材は、引き込み部を構造材に取り付け完了後、引き込み部に取り付けたボルト７を用いて掴み部を引き込み部に押し込む事で直交した膜材を弛みなく張る事ができ、膜材の表面側からも、裏面側からも弛みなく張れる手法。【選択図】図７【図１】
0006783967.tif 000002
【図２】
0006783967.tif 000003
【図３】
0006783967.tif 000004
【図４】
0006783967.tif 000005
【図５】
0006783967.tif 000006
【図６】
0006783967.tif 000007
【図７】
0006783967.tif 000008
【図８】
0006783967.tif 000009
【図９】
0006783967.tif 000010
【図１０】
0006783967.tif 000011
【図１１】
0006783967.tif 000012
【図１２】
0006783967.tif 000013
【図１３】
0006783967.tif 000014
【図１４】
0006783967.tif 000015
【図１５】
0006783967.tif 000016